(57)【要約】【課題】汚水処理する基本処理系の汚泥貯留槽を、処理汚泥に有用微生物群を混合させることにより、乳酸菌，光合成細菌，放線菌，酵母等をバランスよく増殖させる培養槽として兼用し、また汚泥貯留槽で生成される培養液を汚水処理部に返送することにより、有用微生物群によって汚水処理を効率よく行う汚水処理方法及び処理施設を提供する。【解決手段】下水施設等から供給される流入汚水を処理する前処理部Ａと汚水処理部Ｂと汚泥処理部Ｄ等からなる基本処理装置２によって汚水処理をする方法において、汚泥貯留槽２３内の貯留汚泥に乳酸菌，光合成細菌，放線菌，酵母等の有用微生物群を混入して微生物を増殖させることにより、汚泥貯留槽２３を汚水を発酵分解させる培養液を生成させる培養槽にすると共に、汚泥貯留槽２３内の培養液の一部を処理返送管３０によって、前処理部Ａ或いは汚水処理部Ｂに返送供給し汚水処理を行う汚水処理方法と処理施設にした。【選択図】  図１
2008006351.tif 000002
【特許請求の範囲】
【請求項１】
下水施設等から供給される流入汚水を沈殿処理等の前処理を行う前処理部（Ａ）と，前処理部（Ａ）から供給される前処理済汚水を曝気や攪拌をしながら汚水処理して処理水及び中間処理水を排出する汚水処理部（Ｂ）と，汚水処理部（Ｂ）の中間処理水を汚泥処理し汚泥を汚泥貯留槽（２３）に貯留して排出する汚泥処理部（Ｄ）等からなる基本処理装置（２）によって汚水処理をする方法において，前記汚泥貯留槽（２３）内の貯留汚泥に乳酸菌，光合成細菌，放線菌，酵母等の有用微生物群を混入して微生物を増殖させることにより，該汚泥貯留槽（２３）の機能を，前記汚水等を発酵分解させる培養液を生成させる培養槽にすると共に，汚泥貯留槽（２３）内の培養液の一部を処理返送管（３０）によって，前処理部（Ａ）或いは汚水処理部（Ｂ）に返送供給し汚水処理を行う汚水処理方法。
【請求項２】
培養液を混入した汚水を，汚水処理部（Ｂ）の上流側に位置する曝気第１室（８）によって嫌気性処理したのち，下流側の曝気第２室（９）によって好気性処理する請求項１の汚水処理方法。
【請求項３】
処理返送管（３０）の中途部に土壌細菌担体を収容した汚泥改質機（３２）を設け，汚泥改質機（３２）内を通過する培養液に土壌細菌を添加させて汚水処理を行う請求項１又は２の汚水処理方法。
【請求項４】
汚泥改質機（３２）に，曝気第２室（９）の中間処理水を切換可能に供給する請求項１又は２又は３の汚水処理方法。
【請求項５】
前処理部（Ａ）の上流側に設置される曝気沈砂槽（５）に対し，下流側に設置される流量調整槽（７）内の汚水の一部を連続的に返送供給する請求項１又は２又は３又は４の汚水処理方法。
【請求項６】
処理施設（１）によって汚水処理された処理水の一部を流入汚水に混入し，処理水混入汚水を前処理部（Ａ）に供給する請求項１又は２又は３又は４又は５の汚水処理方法。
【請求項７】
供給される汚水を沈殿処理等の前処理を行う前処理部（Ａ）と，前処理部（Ａ）から供給される前処理済汚水を曝気や攪拌をしながら汚水処理し処理水及び中間処理水を排出する汚水処理部（Ｂ）と，汚水処理部（Ｂ）の中間処理水を汚泥処理し汚泥を汚泥貯留槽（２３）に貯留して排出する汚泥処理部（Ｄ）等からなる基本処理系によって汚水処理する処理施設（１）において，前記汚泥貯留槽（２３）内の汚泥に乳酸菌，光合成細菌，放線菌，酵母等の有用微生物群を混入して微生物を増殖させることにより，該汚泥貯留槽（２３）の機能を，前記汚水等を発酵分解させる培養液を生成させる培養槽にすると共に，生成される培養液の一部を，前処理部（Ａ）の上流側に返送供給する処理返送管（３０）を配設し，該処理返送管（３０）の中途部に汚泥改質装置（３）を設けた汚水処理施設。
【請求項８】
処理返送管（３０）の下流側に，土壌細菌担体を交換可能に収容した汚泥改質機（３２）を設けた請求項７の汚水処理施設。
【請求項９】
汚泥改質機（３２）と汚泥貯留槽（２３）との間の処理返送管（３０）に，汚水処理部（Ｂ）の中間処理水を返送する中間水返送管（３６）を接続した請求項７又は８の汚水処理施設。
【請求項１０】
汚泥改質機（３２）の上流側において，培養液と中間処理水を前処理部（Ａ）に切換可能に供給する請求項７又は８又は９の汚水処理施設。
【発明の詳細な説明】
【技術分野】
【０００１】
本発明は，集落排水施設や公共下水道，湖沼や河川等の汚水発生部から供給される汚水を処理する汚水処理方法及び処理施設に関する。
【背景技術】
【０００２】
従来，農業集落排水や公共下水道等の下水施設等から供給される汚水（下水）は，下水処理施設に集められ，該流入汚水を活性汚泥法によって汚水処理される。このような処理施設としては，「日本農業集落排水協会型汚水処理施設」が広く知られている（例えば非特許文献１。）。
この「日本農業集落排水協会型汚水処理施設」は，流入汚水中の固形物を除去し沈殿処理や流量調整等を行う前処理部と，前処理部から供給される前処理済汚水を曝気及び攪拌等によって汚水処理する汚水処理部と，汚水処理部から供給される中間処理水を沈殿処理する沈殿槽や消毒槽，放流ポンプ槽等からなる後処理部と，上記沈殿槽の下層処理水（中間処理水）を引き抜いて汚泥濃縮処理をして処理汚泥を貯留する汚泥貯留槽等からなる汚泥処理部等によって構成される。
【０００３】
また下水を処理する浄水装置の汚水流入部に，微生物により発酵を促す発酵誘導体を投入することにより，複数の微生物群を共生させて汚水処理（バイオ処理）する技術も既に公知である（例えば特許文献１。）。
【非特許文献１】社団法人「地域資源循環センター」発行の「ＪＡＲＵＳ（集落排水・地域資源循環）」ＮＯ．７８（２００４．１０．１発行）の付録「循環型社会の形成に向けて」（特に３頁，４頁参照）
【特許文献１】特開２００３−２１１１８２号公報
【発明の開示】
【発明が解決しようとする課題】
【０００４】
上記非特許文献１で示される汚水の処理方法は，供給される流入汚水を沈殿処理等を行う前処理と，前処理部から供給される前処理済汚水を曝気及び攪拌し活性汚泥法で処理する汚水処理部と，汚水処理部から排出される上澄処理水や中間処理水を処理する後処理部並びに汚泥処理部等からなる汚泥処理装置によって行うので，汚水基本処理系がシンプルで比較的廉価な設備で汚水処理することができ普及を行い易い等の利点がある。
【０００５】
然し，上記のような基本処理装置は，曝気及び攪拌等の活性汚泥処理手段と相まって汚水を分解する微生物及びこれを捕食する原生動物を増殖させて処理するので，汚水処理の過程で原生動物の大量死滅の発生が避けられず，死骸の腐敗により硫化水素等の有害ガスや悪臭の発生を伴うものである。
特に悪臭の発生は処理汚泥が貯留されて原生動物の腐敗が多い汚泥貯留槽において著しく，また汚水処理部においても曝気や攪拌等の運転が不適切な場合に生じ易い。さらに密閉構造にすることが困難な前処理部において，汚水が定期的又は不定期的に供給されるとき，腐敗臭が外部に漏出し易いものである。尚，農業集落排水等の一般的な処理施設は，悪臭や有害ガスによる近隣住民への影響や施設の腐食を防止するために，各処理槽は設置される点検用の蓋を密閉構造で設け，さらに排気装置や脱臭装置等が設置されるものである。
【０００６】
このため装置の運転には，各曝気装置の調整や汚水供給及び処理汚泥の排出タイミング等の運転調整を管理し，微生物と原生動物をバランスよく発生維持させた汚水処理を行うために，処理施設の運転監視及び管理手段が複雑化し高い習熟性を要求されると共に，管理コストも高くなる等の欠点がある。
また汚水処理時に生ずる有害ガスや悪臭を排気，脱臭処理するため，各処理箇所や建物に多くの排気，脱臭装置を設置し連続運転をすること，及び曝気装置の連続運転や，処理施設を囲う建物内の臭気を排出するための排気設備類を連続的に運転調整するので，消費電力の大きい施設になる等の問題がある。
また活性汚泥処理を主体とする上記装置は，処理水を塩素滅菌等による処理を行い国が定める放流基準をクリアさせたのち排出される。従って，この処理水を野菜等の栽培用肥料として有効利用することを施策的に推奨されているが，残渣塩素含有の面から肥料として有効利用する際に，大量に使用することに対し抵抗感があり，また汚泥貯留槽から取り出し排出される処理汚泥を肥料として有効利用する場合には，悪臭を伴うので直接的に使用することができず，コンポスト化等の再処理をしなければならない欠点がある。
【０００７】
そこで，生成される処理水を有益機能水として，また処理汚泥を濃縮微生物液として各種方面に有益的に活用しようとして，上記装置に特許文献１で示されるような発酵誘導体を，下水処理施設の装置上流側の各処理槽及び設置される汚水流入部等に投入することが試みられる。
然し，下水処理施設に流入される汚水の供給量は一定せず，殊に生活パターンに密着する農業集落排水施設等においては，朝，昼，夕方，夜間等での生活水使用の変動により極端に流入汚水量が変化するので，これら発酵誘導体を汚水処理上流側に直接的に投入する手段では，発酵菌の安定的な増殖を長期的に維持する運転管理に熟練を要し，汚水分解作用が不十分になり易いことから生成される処理水や処理汚泥の品質にバラツキを生じ，安定的な使用及び処理コストの回収が困難である等の課題がある。
【課題を解決するための手段】
【０００８】
上記課題を解決するための汚水処理方法及び処理施設は，第１に，下水施設等から供給される流入汚水を沈殿処理等の前処理を行う前処理部Ａと，前処理部Ａから供給される前処理済汚水を曝気や攪拌をしながら汚水処理し処理水及び中間処理水を排出する汚水処理部Ｂと，汚水処理部Ｂの中間処理水を汚泥処理し汚泥を汚泥貯留槽２３に貯留して排出する汚泥処理部Ｄ等からなる基本処理装置２によって汚水処理をする方法において，前記汚泥貯留槽２３内の貯留汚泥に乳酸菌，光合成細菌，放線菌，酵母等の有用微生物群を混入して微生物を増殖させることにより，該汚泥貯留槽２３の機能を，前記汚水等を発酵分解させる培養液を生成させる培養槽にすると共に，汚泥貯留槽２３内の培養液の一部を処理返送管３０によって，前処理部Ａ或いは汚水処理部Ｂに返送供給し汚水処理を行うことを特徴としている。
【０００９】
第２に，培養液を混入した汚水を，汚水処理部Ｂの曝気第１室８によって嫌気性処理したのち，曝気第２室９によって好気性処理することを特徴としている。
【００１０】
第３に，処理返送管３０の中途部に土壌細菌担体を収容した汚泥改質機３２を設け，汚泥改質機３２内を通過する培養液に土壌細菌を添加させて汚水処理を行うことを特徴としている。
【００１１】
第４に，汚泥改質機３２に，曝気第２室９の中間処理水を切換可能に供給することを特徴としている。
【００１２】
第５に，前処理部Ａの上流側に設置される曝気沈砂槽５に対し，下流側に設置される流量調整槽７内の汚水の一部を連続的に返送供給することを特徴としている。
【００１３】
第６に，処理施設１によって汚水処理された処理水の一部を流入汚水に混入し，処理水混入汚水を前処理部Ａに供給することを特徴としている。
【００１４】
第７に，供給される汚水を沈殿処理等の前処理を行う前処理部Ａと，前処理部Ａから供給される前処理済汚水を曝気や攪拌をしながら汚水処理し処理水及び中間処理水を排出する汚水処理部Ｂと，汚水処理部Ｂの中間処理水を汚泥処理し汚泥を汚泥貯留槽２３に貯留して排出する汚泥処理部Ｄ等からなる基本処理系によって汚水処理する処理施設１において，前記汚泥貯留槽２３内の汚泥に乳酸菌，光合成細菌，放線菌，酵母等の有用微生物群を混入して生成される培養液の一部を，前処理部Ａの上流側に返送供給する処理返送管３０を有する汚泥改質装置３を設けたことを特徴としている。
【００１５】
第８に，処理返送管３０の下流側に，土壌細菌担体を交換可能に収容した汚泥改質機３２を設けたことを特徴としている。
【００１６】
第９に，汚泥改質機３２と汚泥貯留槽２３との間の処理返送管３０に，汚水処理部Ｂの中間処理水を返送する中間水返送管３６を接続したことを特徴としている。
【００１７】
第１０に，汚泥改質機３２の上流側において，培養液と中間処理水を前処理部Ａに切換可能に供給することを特徴としている。
【発明の効果】
【００１８】
上記本発明による汚水処理方法及び処理施設によれば，流入汚水を汚水処理する基本処理系外への搬出のために設置される汚泥貯留槽を，処理汚泥に有用微生物群を混合させることにより，乳酸菌，光合成細菌，放線菌，酵母等をバランスよく増殖させる培養槽として兼用することができる。また，汚泥貯留槽で生成される培養液を処理返送管によって汚水処理部に返送するので，有用微生物群によって汚水処理を効率よく行うことができる。さらに，培養槽としての汚泥貯留槽内の処理汚泥は有用微生物群が増殖した培養液になっているので，原生動物の発生を防止して処理汚泥の有効利用を促進することができる。
一般的に，前処理部と汚水処理部と汚泥処理部等からなる汚水基本処理系においては流入汚水の変動により種々の条件変化が生じやすい傾向にあるが，これら汚水基本処理系の経路外に配置されて流入汚水の負荷変動を受けにくい汚泥貯留槽を有用微生物群の培養槽に活用することにより培養液を安定的に生成することができる。
然るに，汚水基本処理系の経路外における流入汚水の負荷変動を受けにくいところに有用微生物群の培養槽を配設して，汚泥貯留槽の汚泥を培養処理しても良いものである。
また，前処理部と汚水処理部と汚泥処理部等からなる汚水基本処理系の系外に対し，培養液を汚泥貯留槽から前処理部に返送する汚泥改質装置を設置するので汚泥の改質を負荷変動の少ない状態で安定的な条件下で処理できる利点がある。これらは新設施設に効果的な機能を発揮するばかりか，既存施設にも追加して簡単に設置することができると共に，既存の基本処理装置の運転を停止することなく汚泥改質装置の設置を可能にし，汚水処理を継続することができる。
【００１９】
流入汚水に培養液を混入した状態で，汚水処理部の曝気第１室によって嫌気性処理したのち，曝気第２室によって好気性処理をすることにより，汚水は嫌気性環境と好気性環境に切り換えられながら発酵菌の増殖を主体とする発酵処理によって，原生動物の発生を抑制し悪臭を抑制した汚水処理を促進することができる。
また，活性汚泥法による汚水処理を行う在来の基本処理装置に対しても，汚水基本処理系を大幅に改造することなく，発酵作用による汚水処理を簡単に行うことができる。
【００２０】
処理返送管の中途部に土壌細菌担体を収容した汚泥改質機を設け，汚泥改質機内を通過する培養液に土壌細菌を添加させて汚水処理を行うことにより，汚泥貯留槽内の汚泥を有用微生物群と土壌菌等の増殖活性による微生物分解作用によって処理することができると共に，汚泥貯留槽を有用微生物の増殖槽として速やかに機能させることができ，汚水処理時に有害ガスや悪臭の発生を抑制することができる。
また汚水処理した処理水及び処理汚泥を，肥料や土壌改良材等の各種の分野に簡単に利用することができる。
【００２１】
流動性の高い曝気第２室の中間処理水を汚泥改質機に供給することができるので，粘性が高かったり原生動物の死骸を多く含む場合の汚泥を汚泥改質機内に詰まらせることなく，処理中途の中間処理水を利用して土壌菌を曝気沈砂槽に供給し，土壌菌による処理環境を速やかに整えることができる。
【００２２】
前処理部の上流側に設置される曝気沈砂槽に対し，下流側に設置される流量調整槽内の汚水の一部を連続的に返送供給することにより，培養液と混合した汚水中の微生物によって曝気沈砂槽側に付着又は残留する汚水の腐敗を抑制し悪臭の発生等を防止することができる。
【００２３】
処理施設から取り出した処理水を流入汚水に予め混入し，処理水中の微生物によって前段汚水処理を経た処理水混入汚水を前処理部に供給することにより，処理施設による汚水処理を処理負荷を軽減し効率よく行うことができる。
また汚水発生側から汚水を処理施設に供給する汚水路に対し処理水を投入することにより，処理水中の微生物によって汚水路中の腐敗の進行を防止することができる。
【００２４】
汚水処理をする基本処理系の汚泥貯留槽内の汚泥に乳酸菌，光合成細菌，放線菌，酵母等の有用微生物群及び必要によりキトサン，糖蜜等を混入して生成される培養液の一部を，前処理部の上流側に返送供給する処理返送管を有する汚泥改質装置を設けたことにより，前処理部と汚水処理部と汚泥処理部等からなる基本処理系の系外に，培養液を汚泥貯留槽から前処理部に返送する汚泥改質装置を簡単に設けることができる処理施設を廉価に構成することができる。
【００２５】
処理返送管の下流側に汚泥改質機を設けることにより，処理返送管内の微生物によって汚水処理を促進させた処理中汚水を，土壌細菌担体に目詰まりを生じさせることなく接触させ土壌菌の添加を効率よく行うことができる。
【００２６】
汚泥改質機と汚泥貯留槽との間の処理返送管に，汚水処理部の中間処理水を返送する中間水返送管を接続したことにより，汚泥貯留槽の処理返送管を利用して，必要により汚水処理部の中間処理水を汚泥改質機に簡単に供給することができる。
【００２７】
汚泥改質機の上流側において，培養液と中間処理水を前処理部に切換可能に供給する構造としたことにより，汚泥改質機の土壌細菌担体を交換する際，又は汚泥改質機或いはその管路等に詰まりや破損等のトラブルがあるときに，汚泥貯留槽の処理汚泥並びに曝気第２室の中間処理水等を，汚泥改質機を避けながら汚水処理部の曝気沈砂槽等に供給し処理施設の汚水処理を継続することができる。
【発明を実施するための最良の形態】
【００２８】
以下図示する本発明の実施形態について説明する。図１は農業集落排水事業地区等から供給される汚水を浄化処理する本発明に係わる処理施設（処理装置）１の構成を模式的に示す平面図である。この実施形態で示す処理施設１は，活性汚泥法により流水汚水を処理する既設の基本処理装置（汚水基本処理系）２に対し，流水汚水量の負荷変動の影響を受けにくい当該基本処理装置２の系外に，汚水の改質処理を行う汚泥改質装置３を同図に管路を太線で示した構成により付加した構造としている。また処理施設１は運転操作を司るコントロール部４及び該コントロール部４と連携するセンサ類，計測機器，曝気ブロワー，攪拌装置，切換バルブ，警報装置等を備え，基本処理装置２と汚泥改質装置３の自動制御及び手動操作を行うと共に，インターネット或いは携帯電話網を利用し装置を遠隔監視したり，データ管理並びに制御．設定変更等を行うことができる。
【００２９】
また図示例の処理施設１は，前記農業集落排水地区等に既設の基本処理装置２に対し，基本処理装置２の構造を大幅に変更することなく利用し，また汚水処理運転を停止することなく，流水汚水量の負荷変動の影響を受けにくい当該基本処理装置２の系外に汚泥改質装置３を簡単に付設することによって構成することができる。
そして，旧施設の活性汚泥法による汚水処理から，本発明に係わる発酵処理をベースにした汚水処理方法に切り換えることができる。
また処理施設１は切り換え後の運転を，有害ガスや悪臭等による環境への悪影響を防止しながら省力的，経済的に行い，且つ生成排出される処理水及び処理汚泥を多様な分野で有効利用することができるように有益化する等の特徴を有するものである。
【００３０】
本発明の処理施設１の具体構成について説明する。図１で示す処理施設１は，汚水基本処理系を特許文献１のものと同様な「日本農業集落排水協会ＸＩＶ型汚水処理システム」を既設の汚泥処理装置として利用している。先ず，この基本処理装置２の各部の構造と活性汚泥法によって行う汚水処理について説明する。
即ち，既設の基本処理装置（活性汚泥処理装置）２は，供給される汚水のスクリーン濾過，固形物の粉砕，土砂類の沈殿除去及び次工程への流量調整等を行う前処理部Ａと，前処理部Ａから供給される前処理済汚水を曝気及び攪拌しながら活性汚泥処理する汚水処理部（中間処理部）Ｂと，汚水処理部Ｂから供給される中間処理水を沈殿，消毒等の最終処理を行う排水部Ｃと，汚水処理部Ｂの中間処理下層水中の汚泥を引き抜いて汚泥貯留して汚泥処理を行う汚泥処理部Ｄ等によって汚水基本処理系を構成している。
【００３１】
上記前処理部Ａは，処理最上流側に設置されて流入汚水（図１左側の白抜き矢印図示）を受け入れて曝気沈殿等により第１次固形物処理をする曝気沈砂槽５と，曝気沈砂槽５から主管路（送出し供給管）６を介し経路中に設置される固形物処理部６ａを経て供給される流入汚水を一時的に貯留して処理下流側への流量調整を行う流量調整槽７等からなる。図示例の曝気沈砂槽５は土砂や大きな固形物を除去する固形物除去部５ａを備え，流量調整槽７はスクリーン濾過処理や固形物粉砕を行う，第２固形物処理部（自動微細目スクリーン）７ａと汚水計量器７ｂを備えている。
尚，基本処理装置２へ供給する流入汚水は，各家庭等の汚水発生源から下水路を介して，自然流下によって又は，最終マンホールに貯留された汚水をポンプによってこれら下水施設等から供給することができる。
【００３２】
汚水処理部Ｂは，流量調整槽７から直接及び汚水計量器７ｂを介して供給される流入汚水を，汚水処理部（Ｂ）の上流側に位置する曝気第１室８と下流側の曝気第２室９によって曝気及び攪拌を複数段に分けて行うことにより活性汚泥処理をする。この曝気第１室８と曝気第２室９は，隔壁の下部に形成した連通孔９ｃを介して連通しており，曝気ブロワー９ａに連通している空気噴出口を有する攪拌体９ｂを備え，また後述する分配供給部１９を介して沈殿槽１０から沈殿槽下層水が供給される。
この構成により曝気第１室８は，流入汚水と沈殿槽下層水を混合して１次活性汚泥処理をし，この１次処理水を曝気第２室９によって２次活性汚泥処理をする。
【００３３】
排水部Ｃは，曝気第２室９から供給される上層処理水を沈殿処理する沈殿槽１０と，沈殿槽１０から供給される上層処理水（上澄水）を一時的に貯留し，取水管１１を介して曝気第１室８，曝気第２室９，沈殿槽１０に散水返送する散水ポンプ槽１２と，散水ポンプ槽１２から供給される汚水中の細菌を塩素剤によって滅菌処理する消毒槽１３と，消毒槽１３から供給される処理汚水を一時的に貯留し，放流ポンプを備えた放流管１５ａを設けた放流ポンプ槽１５等からなる。
【００３４】
上記沈殿槽１０は，曝気第２室９の上層と通じて上層処理水を沈殿処理する。そして，沈殿槽１０は，スカム（泡沫）を含む脱離液（中間汚水）の一部を取り出して汚泥処理部Ｄの脱離液ポンプ槽１６に供給する中間取水管１７と，下層の汚水（沈殿槽汚液）を取り出してポンプ及び切換バルブ並びに計量器等からなる分配供給部１９を介して，曝気第１室８と曝気第２室９及び汚泥濃縮槽２０に供給する下層取水管２１とを備えている。
これにより沈殿槽１０のスカムを含む脱離液（中間汚水）の一部を，中間取水管１７から脱離液ポンプ槽１６に供給し沈殿処理し，またポンプ付きの返送管２２によって流量調整槽７に返送されて再処理される。
【００３５】
また沈殿槽１０の沈殿槽汚液の一部は，下層取水管２１を介して曝気第１室８及び曝気第２室９内の汚水に混入されて再処理され，また汚泥濃縮槽２０に供給されて汚泥濃縮処理される。
即ち，沈殿槽１０内の中間汚水と沈殿物の多い沈殿槽汚液（下層汚水）の一部を，上流側の脱離液ポンプ槽１６と曝気第１室８並びに曝気第２室９に返送することにより，再処理を促進すると共に，沈殿槽１０内の処理負荷を軽減した処理を行う。
【００３６】
散水ポンプ槽１２は，沈殿槽１０の上澄汚水（上澄処理水）を一時的に貯留しながら消毒槽１３に供給すると共に，取水管１１によって沈殿槽１０と曝気第１室８と曝気第２室９内に散水して，各槽内で発生するスカム（泡沫）を消滅させる消去用水として用いる。
【００３７】
尚，上記のように上流側の槽内で処理中の汚水に下流側の処理汚水を混入し，複数の汚水を混合した混合処理を行うと，各槽内で発生する多種多様な微生物や分解菌が混合増殖し，汚水分解の相乗効果を高めた汚水処理を行うことができると共に，下流側の処理槽の処理負荷を軽減することができるものである。
【００３８】
汚泥処理部Ｄは，前記脱離液ポンプ槽１６と汚泥濃縮槽２０と汚泥貯留槽２３等からなり，沈殿槽１０から供給される中間層処理水の汚泥処理をする。
汚泥濃縮槽２０は，下層取水管２１から分配取水管２１ａを介して供給される沈殿槽１０の沈殿槽汚液を濃縮処理し，濃縮汚泥を汚泥貯留槽２３に供給すると共に，上層の濃縮汚水を脱離液ポンプ槽１６に供給する。
【００３９】
脱離液ポンプ槽１６は，前記中間取水管１７から供給されるものと，汚泥濃縮槽２０の上層濃縮汚水を混合処理し，返送管２２を介して流量調整槽７に供給する。
汚泥貯留槽２３は，汚泥濃縮槽２０から逐次供給される汚泥を貯留し曝気処理をした処理汚泥を，排出管２５から取り出しバキュームカー２６等の搬送手段に移して次工程に搬出させることができる。
【００４０】
以上のように流入汚水を活性汚泥法によって処理する基本処理装置２は，曝気処理を必要とする各槽に対応し，曝気沈砂槽５用の曝気ブロワー２７，汚泥濃縮槽２０用のエアリフトブロワー２９，汚泥貯留槽２３用の曝気ブロワー２３ａ，曝気第１室８及び曝気第２室９用の複数の曝気ブロワー９ａを備えている。また曝気ブロワーを設置しない槽では，攪拌又は沈殿処理による処理が行われる。
【００４１】
次に上記のように汚水処理を行う既設の基本処理装置２に対し，本発明に係わる汚泥改質装置３を図１で示すように設置して構成する処理施設１について説明する。
この実施形態における処理施設１は，活性汚泥法により汚水処理を行う前記既設の基本処理装置２に対し，その運転を停止させることなく汚泥改質装置３を後付け作業によって付設して構成することができる。また汚水処理の方式を，活性汚泥法から発酵処理法にスムーズに切り換えながら継続運転することができるものである。
尚，前記したものと同様の基本処理装置２の構成については説明を省略し，汚泥改質機３２の構成及び運転切換手段と汚水処理方法を主として説明する。
【００４２】
先ず図１の太線で示すように汚水基本処理系に設置される汚泥改質装置３は，流水汚水量の負荷変動の影響を受けにくい当該基本処理装置２の系外に設置される汚水改質用の経路として，汚泥貯留槽２３からポンプ３０ａによって，汚泥を曝気沈砂槽５の上流側に返送するメイン管路となる改質返送管（処理返送管）３０を設けている。また改質返送管３０とは別に，流量調整槽７から汚水を曝気沈砂槽５の上流側に返送する調整返送管３１を付設している。
【００４３】
汚泥改質装置３の改質返送管３０の中途部下流側には，腐植土ペレット等の土壌細菌担体を内装した汚泥改質機３２を設けている。この改質返送管３０は，汚泥改質機３２の上流側に３方弁方式の切換バルブ３３を設け，該切換バルブ３３と流量調整槽７とを調整処理返送管３５によって接続している。また改質返送管３０は切換バルブ３３とポンプ３０ａの間に，曝気第２室９（汚水処理部Ｂ）から処理中の下層処理汚水（中間水）をポンプ３６ａによって汲み上げて曝気沈砂槽５に返送する中間水返送管３６を接続している。この場合に改質返送管３０および調整処理返送管３５の各管路内には汚水流入方向を下流側の一方向に規制するための逆止弁（図示しない）が適宜に配設されている。
【００４４】
上記汚泥改質機３２は，開閉可能な蓋３７を有する容器内の上部にネット状の収容部３９を着脱可能に内装する構成とし，収容部３９内に土壌細菌担体を交換可能に収容している。この土壌細菌担体は，例えば海底等に存在する古代の堆積土層に生息している土壌菌を抽出した古代土壌菌を含む腐植土をペレットに加工した腐植土ペレット，或いは古代土壌菌等の土壌菌を保持させたセラミック粒であることが望ましい。
これにより汚泥改質機３２は，処理返送管３０から供給される汚泥を多く含む汚液（味噌汁状形態の返送汚泥）が収容部３９内を通過するとき，土壌細菌担体に接触させて汚液に土壌菌を確実に添加し，土壌菌を増殖させ汚液の有機物分解や脱臭処理を付与しながら曝気沈砂槽５に返送供給することができる。
【００４５】
次いで，上記構成による汚泥改質装置３を基本処理装置２に設置したのちは，処理施設１の汚泥貯留槽２３内に，乳酸菌，光合成細菌，放線菌，酵母等の有用微生物群と，該有用微生物群の増殖を促すキトサンや糖蜜等を必要量投入供給しつつ，処理施設１の運転を停止させることなく継続する。
上記有用微生物群は，乳酸菌，光合成細菌，放線菌，酵母等を所定の割合で任意選択的に混入若しくは全て混入するようにするもので，これら有用微生物群を混入したものを前記旧施設から処理施設１への切換運転時には多めに投入し，こののち処理状態を監視しながら定期的又は不定期的に必要量を投入する。また同時に又は必要によりキトサン，糖蜜等の菌増殖資材を供給することにより，有用微生物群の増殖を活性化し且つ微生物分解を活性化させる。
【００４６】
次に，汚泥改質装置３が設置された処理施設１の切換運転について，その態様例を説明する。即ち，従来の活性汚泥法によって汚水処理をする汚水基本処理系を備えた旧処理施設から，汚泥改質装置３を備えた処理施設１の汚水処理運転に切り換えるとき，本発明の汚水処理方法によって流水汚水量の負荷変動の影響を受けにくい状態にして有用微生物群を速やかに増殖させること，及び沈殿槽１０から直接的に処理水を排出する際の，定められた放流水質基準値をクリアするために，次のように運転を行うことが望ましいものである。
【００４７】
先ず，従来と同様に大きな固形物が除去されて曝気沈砂槽５に投入供給される流入汚水は，予め有用微生物群が曝気沈砂槽５に存在する状態，及び汚泥改質装置３の土壌菌等が循環する状態において基本処理装置２による汚水処理が行われる。
即ち，処理施設１は切換運転初期において，先ずポンプ３６ａが作動され，曝気第２室９内の中間処理水を中間水返送管３６，改質返送管３０，切換バルブ３３を介して，汚泥改質機３２に供給するように初期運転が行われる。
【００４８】
これにより上記中間処理水は，汚泥改質機３２によって主として土壌菌が添加された状態で曝気沈砂槽５の上流側に供給され，供給される新たな流入汚水と混合し下流側に移行し，前処理部Ａにおける土壌菌類を中心とした有用微生物群が流入汚水の腐敗を防止しながら，流量調整槽７から汚水処理部Ｂの曝気第１室８と曝気第２室９，及び汚泥処理部Ｄの各槽で土壌菌類を中心とした有用微生物群を増殖させ，同時に汚水処理を行って汚泥貯留槽２３に至る。尚，この最曝気沈砂槽５の上流側に設置している点検用の蓋は，従来密閉構造にしていたものを格子状の蓋に取り替え流入部に日光を照射させて光合成細菌等の活動を促進する構造としている。
【００４９】
従って，汚泥貯留槽２３においては，予め有用微生物群が供給された貯留汚泥に土壌菌が混合され汚水の腐敗が防止されていることから，流水汚水量の負荷変動の影響を受けにくい状態で微生物の増殖が相乗的に活性化される。そして，汚泥貯留槽２３内の汚泥は増殖した微生物による分解消化が十分に行われ，悪性の菌（大腸菌等）や原生動物等を消滅状態にすることができ，また硫化水素等の腐蝕性ガスの発生も抑制することができる。
【００５０】
さらに，時間の経過と共に汚泥貯留槽２３内の汚泥は，有用微生物群と土壌菌等の増殖活性による微生物分解作用が促進されて，流動性を有する液状化した状態になる。この段階で汚泥貯留槽２３は上記有用微生物の増殖槽として機能する状態に切り換わる。
次いで，汚泥貯留槽２３が微生物培養機能を果たすようになった時点で，点検用の密閉構造の蓋を格子状の蓋に取り替えて槽内液に日中光が当たるようにし，中間水返送管３６のポンプ３６ａを停止させ，且つポンプ３０ａを作動し汚泥貯留槽２３内の処理汚泥の返送を開始する。このように旧施設においては，既存の汚泥による汚れや悪臭等が解消されるまでの期間，これらに対する回復処置等の処理が必要となるが，新設の処理施設においては当初から点検用の蓋を格子状の蓋に設定して槽内液に日中光が当たるようにして運転開始するものである。
【００５１】
以上のように切換運転初期において，流動性の高い曝気第２室９の中間処理水を引き抜いて，曝気沈砂槽５に返送する中途で汚泥改質機３２に供給をすることができるので，汚泥改質機３２の土壌細菌担体に，切換運転初期に高い粘性と原生動物の死骸を多く含む汚泥を接触させることにより，汚泥改質機３２内の詰まりの発生を防止することができる。また曝気第２室９の処理中途の中間処理水を利用して土壌菌を曝気沈砂槽５に供給するので，土壌菌による処理環境を処理系全体に速やかに整えることができ，処理施設１の運転立ち上げを効率よく行うことができる。
【００５２】
一方曝気第１室８においては，従来の活性汚泥法により行われていた１日当たり９００分程度のトータル曝気時間を，１日当たり６０分程度の運転を３回程度とし，曝気停止時間を長くしつつ攪拌装置による攪拌を連続的に持続させた運転を行い，嫌気性環境下での運転に切り換える。
このとき曝気第１室８の汚水を，ＰＨ（水素イオン濃度）６．８〜７．０，ＭＬＳＳ（活性汚泥の濃度）４０００〜５０００ｍｇ／Ｌ，ＯＲＰ（酸化還元電位）値を約−１８０〜−２５０ｍＶを目標として調整し，段階的に曝気時間を短くするように運転調整する。また曝気第１室８の上部にある密閉構造の蓋は，前記したものと同様に格子状の蓋に変更することにより，槽内液に光が当たるようにする。
【００５３】
次いで，曝気ブロワー９ａの運転時間を，上記１８０分程度／日から段階的に短縮させ，中間処理水が腐敗しない１日当たり５分程度の運転を３回程度にすると，攪拌装置のトータル運転時間を１２時間程度の間欠的な省エネ運転にすることができる。
そして，連続運転に伴い有用微生物群等は適切に増殖するので，この時点からは曝気時間をゼロに近づけることができる。
【００５４】
また曝気第２室９においては，切換運転初期において基本的には従来の活性汚泥処理により行われていた，１日当たり９００分のトータル曝気時間を継続しながら間欠的な攪拌を継続して行い，ＰＨ６．５〜７．０，ＭＬＳＳ４０００−５０００ｍｇ／Ｌに，ＯＲＰ値を曝気攪拌時において約３０〜１００ｍＶ，曝気停止攪拌時におけるＯＲＰ値を約−１００〜−３０ｍＶを目標とした好気性環境下で調整運転しながら，前記したものと同様に格子状の蓋に変更することにより槽内液に光が当たるようにする。
これにより中間処理水が腐敗しない１日当たり６０分程度の曝気運転を１２回程度以下とし，且つ攪拌装置の連続運転に伴い有用微生物群等が増殖するので，この時点からは曝気時間をさらに短縮することができる。
【００５５】
即ち，汚水処理部Ｂにおいて前処理部Ａから供給される流入汚水は，流入汚水中の有機汚濁物質，嫌気性環境下に切り換えられた上流側の曝気第１室８内と，好気性環境下で運転されている下流側の曝気第２室９内，分配供給部１９を介して沈殿槽１０から沈殿槽下層水が供給される中間処理水によって，前記有用微生物群の活性，増殖に適したバランスが保たれる。
これにより汚水処理部Ｂは従来の微生物を捕食する原生動物を発生させる活性汚泥処理から，原生動物の発生を抑制する発酵菌の増殖が主体となって汚水処理を行う発酵処理に切り換えることができるので，処理系全体を大幅に改造することなく発酵作用によって確実且つ簡単に汚水処理を行う処理施設１を提供することができる。尚，曝気第２室９内では単に好気性処理のみに限定することなく，処理の状況に応じ好気性処理と嫌気性処理を交互に繰り返して行うように制御し処理を促進させることもできる。
【００５６】
沈殿槽１０においては，曝気第１室８と曝気第２室９のＰＨ，ＭＬＳＳ，ＯＲＰ計測値とＳＶ（汚水沈降度）等を参照しながら，活性汚泥処理時と比較して分配供給部１９のポンプによる，沈殿槽汚液の引き抜き返送量を徐々に増加させるように制御して，曝気第１室８と曝気第２室９に適当量の汚泥を返送し，該曝気第１室８と曝気第２室９が前記有用微生物群の活性，増殖に適した環境となるように調整する。
【００５７】
また上記のような運転において，汚泥改質機３２の土壌細菌担体を交換する際，又は汚泥改質機３２或いはその管路等に詰まりや破損等のトラブルがあるときは，切換バルブ３３を切り換えて，汚泥貯留槽２３の処理汚泥並びに曝気第２室９の中間処理水を曝気沈砂槽５に切換供給する。
これにより汚泥改質装置３の土壌細菌担体の交換やトラブルに対するメンテナンス作業を，処理下流側にある増殖微生物を多く含む処理汚泥等の返送供給を停止させることなく行うことができる等の利点がある。
【００５８】
次に前記調整返送管３１について説明する。調整返送管３１は，第２固形物処理部７ａに流量調整槽７の汚水を供給するポンプ７ｃを有する管路７ｄに中途部に設けた偏心弁３１ａに接続され，該偏心弁３１ａの作動又は操作によって，流量調整槽７の汚水を曝気沈砂槽５の上流側に供給するように臨ませて設けている。この実施形態で偏心弁３１ａは，分配量が９対１程度（極少量）に設定されており，下層汚水を少量づつ曝気沈砂槽５に連続的に供給することができる。
【００５９】
これにより切換運転以降に流量調整槽７内の微生物増殖した中間処理水は，少量ながら曝気沈砂槽５の上流側に常時供給される。そして，供給された中間処理水は曝気沈砂槽５の上流側及び内部の汚水の滞留を防止すると共に，汚泥改質機３２から曝気沈砂槽５の上流側に供給されない時間帯においても，汚泥改質機３２や汚泥貯留槽２３によって培養生成された培養液中の土壌菌や有用微生物群が流入汚水に対して常時供給されることから，この部に付着又は残留する汚水の腐敗を抑制して悪臭の発生等を防止することができる。
【００６０】
以上のような切換運転初期において，曝気第２室９内で２４時間程度の曝気処理をした中間処理水が供給されて，既設装置の活性汚泥処理による灰色の汚水が茶褐色へ変色し流動性が増し，汚泥貯留槽２３内で硫化水素等の腐食性ガスの発生が抑制された時点で，既述したように中間水返送管３６のポンプ３６ａを停止させ，且つ改質返送管３０の切換バルブ３３を切り換え，処理返送管３０のポンプ３０ａによって汚泥貯留槽２３内で微生物を培養した培養液（培養汚泥）の返送を開始して，汚泥改質機３２を通し曝気沈砂槽５に投入し通常運転に移行させることが望ましい。
【００６１】
即ち，初期の通常運転時に上記のような運転手段を１ヵ月から１．５ヵ月程度を目処に継続すると，処理現場から悪臭や硫化水素等の腐蝕性ガスの発生を低減することができ，曝気第２室９や汚泥貯留槽２３内の色が灰色から茶褐色になった状態となり，これ以降の運転管理を次のように行うことができる。
曝気沈砂槽５の汚水流入口に供給される新規な流入汚水は，微生物分解不能な大きな固形物や砂等が，スクリーン及び砂溜槽等からなる非分解物除去装置５ａによって除去されながら曝気沈砂槽５に供給される。このとき曝気沈砂槽５の上流側に汚泥改質機３２で生成された培養液が投入される。
【００６２】
この培養液の投入量は１日当たり９回程度とすることが望ましく，これにより汚水流入の時点で培養液が混入されることにより，曝気沈砂槽５内の流入汚水の腐敗を防止することができ，培養液混入汚水は流量調整槽７に至る。
流量調整槽７は，実質的な分解処理が始まる曝気第１室８の上流側で汚水供給量を一定にすることができ，またこの槽においても腐敗を防止し曝気第１室８に流量を調整し供給することができる。
【００６３】
曝気第１室８は，基本的には曝気はしないで攪拌のみを行うことで嫌気状態をつくり，有用微生物群の乳酸菌，光合成細菌，放線菌，酵母等が処理段階に応じて発酵や雑菌制御に関わることができる。この運転管理手段として１日に２４間を攪拌することが望ましく，これによりｐＨ６．５〜７．０，ＭＬＳＳ４０００〜５０００ｍｇ／Ｌ，ＯＲＰ値を約−１８０〜−２５０ｍＶ，ＤＯ（溶存酸素量）は略ゼロで管理することができ，また槽底部において汚水が滞留し腐敗することを防止するために，１日当たりのトータル曝気時間を１０分程度とし，２分程度の曝気を５回程度行うことが望ましい。
【００６４】
曝気第２室９は，曝気攪拌と曝気停止状態での攪拌を繰り返すことにより好気と嫌気との室内環境をつくり，上記有用微生物群が処理段階に応じて発酵や雑菌制御に関わる。
この運転管理手段として２４時間程度の攪拌と，７２０分（６０分を１２回）の曝気攪拌を繰り返し行うことが望ましく。これによりｐＨ６．５〜７．０，ＭＬＳＳ４０００−５０００ｐｐｍ，ＯＲＰ値は攪拌時は約−１００〜−３０ｍＶ，曝気攪拌時は約３０〜１００ｍＶになるように運転することができる。また曝気第１室８及び曝気第２室９とも，汚水の発生原因となる原生動物や後生動物の存在を殆ど皆無にすることができる。
【００６５】
汚泥改質機３２は，汚泥貯留槽２３から供給される培養液（有用微生物群培養液）を土壌細菌担体と接触させて培養液を連続的に生成し，各槽で曝気と攪拌が行われることで処理に関わる微生物の増殖を一層促進する。そして，培養液は曝気沈砂槽５に１日に９回づつ返送することにより，流入汚水と培養液を接触させ，処理系の初期段階から汚水中の有機物の腐敗を防止し汚水処理を促進する。
尚，上記運転時に必要によりポンプ３６を作動すると，曝気第２室９内の中間処理水を引き出して汚泥貯留槽２３の汚泥を流動性を高めて混合させ汚泥改質機３２を通すことができると共に，曝気第２室９の処理負荷を軽減し汚水処理を高めることができる。
【００６６】
汚泥貯留槽２３は，１日に３０分程度の曝気を１６回程度（１日に４８０分程度）で曝気することにより，微生物の増殖を促し時間の経過と共に生成される培養液（微生物増殖汚泥）を良質にすることができる。従って，汚水処理が安定し硫化水素等の腐食性ガスの発生が抑制された時点で，ＭＬＳＳ５０００〜６０００ｍｇ／Ｌ程度に保ちながら，培養液は汚泥改質機３２に１日に９回程度に分けて間欠的に供給することができる。
一般的に，前処理部と汚水処理部と汚泥処理部等からなる汚水基本処理系においては流入汚水の変動により種々の条件変化が生じやすい傾向にあるが，これら汚水基本処理系の経路外に配置されて流入汚水の負荷変動を受けにくい汚泥貯留槽２３を有用微生物群の培養槽に活用することにより培養液を安定的に生成することができる。
然るに，汚水基本処理系の経路外における流入汚水の負荷変動を受けにくいところに有用微生物群の培養槽を配設して，汚泥貯留槽の汚泥を培養処理しても良いものである。
【００６７】
このように処理施設１の汚水処理運転が行われることにより，汚泥貯留槽２３は本発明処理方法によって，流水汚水量の負荷変動の影響を受けにくい状態の環境下において乳酸菌，光合成細菌，放線菌，酵母等をバランスよく増殖させた培養液を処理系に戻す培養槽にすることができる。従って，既設の基本処理装置２を大きく改造させることなく利用し，廉価型の処理施設１による安定した汚水処理を実現し，且つ消毒槽１３を介することなく沈殿槽１０又は曝気第２室９から直接的に処理水を排出する際にも，定められた放流水質基準値をクリアすることができる。
【００６８】
次に上記構成の処理施設１について，切換運転を行った実験結果及び各種データと特徴等について説明する。この実験では既設の基本処理装置（旧処理施設）に対し，図１の太線で示す汚泥改質装置３を設置した処理施設１に，旧処理施設のものと同様に農業集落から排出される下水を流入汚水として供給し汚水処理した。また処理施設１の実験は，切換運転開始日の２００５年８月３日から２００６年２月２８日にわたり，前記した運転管理方法と同様の運転を行って汚水処理し，曝気第２室９の上層にある処理水をサンプルとして計量した。この実験値を表１に示す。尚，表中の計量項目と数値は「島根県環境保健公社」の計測によるものである。
【００６９】
【表１】
2008006351.tif 000003
上記表１中の計量項目は，ＰＨ（水素イオン濃度），ＢＯＤ（生物化学的酸素要求量），ＣＯＤ（化学的酸素要求量），ＳＳ（浮遊物質量），Ｔ−Ｎ（全窒素），Ｔ−Ｐ（全リン）を示すものである。
【００７０】
以上のように処理施設１の汚水処理運転をした結果によれば，処理水は塩素滅菌無しで大腸菌群数は１００個／ｃｍ3と低減した状態になっており，放流水基準の３０００個／ｃｍ3を大幅にクリアしており，環境負荷が懸念される塩素滅菌を不要にした放流処理をすることができる。このような状態は乳酸菌，光合成細菌，放線菌，酵母等が発酵したことにより大腸菌が抑制された結果であると考えられ，その他の雑菌や病原菌等も抑制されていると考えられる。
また富栄養化の原因とされている窒素，リンについても，全窒素３．０９ｍｇ／Ｌ，全リン０．２４ｍｇ／Ｌと極めて高い除去率を示している。特にリンの除去は一般的に生物除去が困難であると言われており，薬品を投入する等して除去されることが多いが，本発明による処理方式によれば，生物によって安定的に安価に除去できることが確認できた。
また他のデータについても活性汚泥法によって処理したものと，同等又はそれ以上の水質になっていることが確認できた。
このような状態は，汚泥貯留槽２３が本発明処理方法によって，流水汚水量の負荷変動の影響を受けにくい状態の環境下において乳酸菌，光合成細菌，放線菌，酵母等をバランスよく増殖させた培養液を処理系に戻す培養槽にすることができた結果に基づくものであることが立証されているものである。従って，既設の基本処理装置２を大きく改造させることなく利用し，廉価型の処理施設１による安定した汚水処理を実現し，且つ消毒槽１３を介することなく沈殿槽１０又は曝気第２室９から直接的に処理水を排出する際にも，定められた放流水質基準値をクリアすることができる。
【００７１】
また塩素滅菌等の消毒をしないで排出される処理水は，塩素臭や悪臭を伴うことなく有用微生物群や土壌菌を増殖含有して多様な方面に効果的に機能する有益機能水として，肥料（液肥）として又は肥料製造の発酵促進材等の他に，脱臭剤やコンクリート等建材製造時に必要とされる用水とし好適且つ廉価に使用することができる。
さらに，汚泥貯留槽２３内の処理汚泥は，微生物が培養された培養液（濃縮微生物液）として取り出し利用することができる。即ち，この濃い培養液を堆肥製造に用いると，短期間に完熟させ且つ品質の高い堆肥を低コストで能率よく製造することができる。また培養液を土壌に直接的に供給することにより，土地改良等を簡単且つ速やかに行うことができる等の特徴がある。
【００７２】
また処理施設１の運転に伴う消費電力について説明すると，切換運転後において処理施設１を収容設置した建物に設けられる，前処理部Ａ側の換気扇と汚水処理部Ｂ側の換気扇とは，建物内の悪臭が早期に低減されることから数日後停止することができた。即ち，曝気第１室８及び曝気第２室９用の各曝気ブロワー９ａは，旧施設の基本処理装置２による活性汚泥処理の場合には，１８．７時間／日であったが，２００５年９月３０日時点で１０．１時間程度と運転時間を５４％程度に削減することができた。
【００７３】
これにより消費電力削減効果は，処理施設１の運転が長時間にわたり継続されるほど，各種の又は特定の曝気ブロワーや攪拌装置の運転を，できるだけ短い時間だけ行うことができる汚水処理を省エネ的に行うことができることが判明した。従って，少なくとも１年後には処理施設１のランニングコストは既存のものに対し５０％以下に低減することができると推定される。
【００７４】
以上のように構成される処理施設１は，水質や流入量，気温，気圧等の状況を検知する検知センサを所定槽及び必要箇所に設置し，処理される汚水や汚泥の状況を監視し記録することができる。また検知センサの検知信号に基づき，各部に設置されたポンプ，切換バルブ，ブロワー及びセンサ等（補助処理装置）の機器類を，図２で示される自動診断制御管理システム４０を備えたコントロール部４によって，自動制御及び手動操作可能に運転することができる。
【００７５】
さらにコントロール部４は，診断状態を管理するデータセンター４１を備えており，これにより例えば，自治体，管理業者，各種研究所及び学校等のユーザが，処理データを自由に閲覧したり所望事項の通報を受けることもでき，処理施設１の運転状況等を確認しながら遠隔操作及び制御等を容易に行うことができる。
またユーザは，処理水或いは処理汚泥の質を農業，畜産業，養殖業等の各分野に好適となるように定めてタイムリーに提供できる。
なお本発明の実施形態では，説明の便宜上から既存施設のものの実例を挙げて説明したが，本発明の方法を新設施設に実施して本発明の効果を奏するようにできることは勿論である。
【００７６】
また本発明の処理施設１によって生成される処理水と処理汚泥は，図３で示すようにそれぞれ有益機能水と濃縮微生物液として，農業，畜産，養殖等の分野で作物或いは動物，魚介類の栽培育成用の水や資材に効果的に使用することができ，また高い免疫性を有する各食材を提供することができる。即ち，これにより得られる高免疫力食材は，安心と健康を提供するから評判を呼んで顧客を拡大することができ，例えばアンテナショップやレストラン等の市場での消費販売を見込むことができる。従って，上記有益機能水及び濃縮微生物液の使用量を拡大することが可能で，これの購入費用も上記商業サイクルの中で生ずる市場からの利益によって賄うことができる。また上記のように利用される処理施設１は有益機能水培養施設と呼称されることを可能にするものである。
【００７７】
さらに，上記有益機能水及び濃縮微生物液はいずれも，処理施設１の上流側にある流入汚水に供給することにより，処理施設１に至るまでの経路を利用した流入汚水の事前汚水処理（１次前処理）を行うと共に有用微生物群の培養を促進し，処理施設１における処理負荷を軽減しつつ品質の高い汚水処理をスムーズに行わせることができる。
即ち，図３で示すように各種の集落排水，事業所排水，ビル排水，家庭排水等の汚水発生部４５に対しては，処理施設１の保守点検業者が有益機能水をペットボトル等の携帯用の容器に充填したものを配付し指導する。これにより被配付者は汚水発生部４５に対し逐次少量づつ供給することができる。
【００７８】
尚，前記有益機能水のビン詰め作業は，例えばエコロジ参加活動の一環として老人ホーム或いは養護施設等をビン詰め用の作業所４４として，相互の貢献と収益を両立させながら新機軸なリサイクル活動を志向して展開することができる。
また汚水発生部４５の汚水が下水管等の搬送経路４６によって収集される中継ポンプ（マンホール）４７，また中継ポンプ４７側から搬送経路４９によって収集される中継ポンプ所５０等に対しては，作業者がバキュームカー２６等を利用して処理量に見合う濃縮微生物液を投入供給することもできる。
【００７９】
以上のように有益機能水或いは濃縮微生物液が供給された流入汚水の搬送経路（汚水路）は，有用微生物群の働きによって，汚水の腐敗が防止され腐食性ガスの発生も抑制することができる。従って，腐敗汚水や腐食性ガスの発生に伴う管路，コンクリート，ポンプ類の劣化を防止することができると共に，搬送経路４６，４９や中継ポンプ４７，中継ポンプ所５０が設置されている場所での，臭気発生の問題を簡単に解消し，臭気対策の目的で設置される機器の電気代を削減することができる。
【図面の簡単な説明】
【００８０】
【図１】本発明に係わる処理施設の構成を示すシステム図である。
【図２】処理施設のコントロール部の実施形態を示すシステム図である。
【図３】処理施設が生成する有益機能水と濃縮微生物液の使用例を示す説明図である。
【符号の説明】
【００８１】
１    処理施設
２    基本処理装置（汚水基本処理系）
３    汚泥改質装置
４    コントロール部
５    曝気沈砂槽
７    流量調整槽
８    曝気第１室
９    曝気第２室
１０  沈殿槽
２３  汚泥貯留槽
３０  処理返送管
３１  調整返送管
３２  汚泥改質機
３３  切換バルブ
Ａ    前処理部
Ｂ    汚水処理部
Ｃ    排水部
Ｄ    汚泥処理部
【図２】
2008006351.tif 000004
【図３】
2008006351.tif 000005
【図１】
2008006351.tif 000006